(57)【要約】【課題】患者の診断や、症例検討会における症例の発表、患者への説明を効果的に実施することができる磁場データ処理システムを実現する。【解決手段】磁場データ処理システム２において、第１磁場データ動画と第２磁場データ動画とを同期して表示するものであり、磁場データ動画表示プログラムは、第１磁場データ動画に対応する第１心磁図３５から複数の第１関心時刻（６１ａ〜６５ａ）を読み出し、第２磁場データ動画に対応する第２心磁図３６から複数の第２関心時刻（６１ｂ〜６５ｂを読み出し、複数の第１関心時刻と複数の第２関心時刻とを同期させて、第１磁場データ動画と第２磁場データ動画とを表示する。【選択図】図７
2018166856.tif 000002
【特許請求の範囲】
【請求項１】
プロセッサと、
主記憶と、
磁場データ動画と前記磁場データ動画に対応する心磁図とを格納するデータベースと、
前記主記憶に読み込まれ、前記プロセッサにより実行される磁場データ動画表示プログラムとを有し、
前記磁場データ動画表示プログラムは、第１磁場データ動画と第２磁場データ動画とを同期して表示するものであり、
前記磁場データ動画表示プログラムは、前記第１磁場データ動画に対応する第１心磁図から複数の第１関心時刻を読み出し、前記第２磁場データ動画に対応する第２心磁図から複数の第２関心時刻を読み出し、前記複数の第１関心時刻と前記複数の第２関心時刻とを同期させて、前記第１磁場データ動画と前記第２磁場データ動画とを表示する磁場データ処理システム。
【請求項２】
請求項１において、
前記第１磁場データ動画と前記第２磁場データ動画とを同期させる同期設定方式を入力する入力装置を有し、
前記同期設定方式として、少なくとも、前記第１磁場データ動画の関心時刻に同期させる、前記第２磁場データ動画の関心時刻に同期させる、または前記第１磁場データ動画の関心時刻と前記第２磁場データ動画の関心時刻の中間に同期させる、の複数設定を有し、
前記入力装置により選択された前記複数設定のいずれかにしたがい、前記前記磁場データ動画表示プログラムは、前記第１磁場データ動画と前記第２磁場データ動画とを同期させて表示する磁場データ処理システム。
【請求項３】
請求項１において、
投影装置と、
前記投影装置により前記磁場データ動画を表示する表示スクリーンとを有し、
前記表示スクリーンは心臓の形状を模した立体加工部を有する立体スクリーンを有し、
前記磁場データ動画を前記立体スクリーンの前記立体加工部に表示する磁場データ処理システム。
【請求項４】
請求項３において、
前記立体スクリーンの前記立体加工部に表示する前記磁場データ動画にかかる心臓の画像を前記磁場データ動画に挿入する、または一時的に重ねて投影する磁場データ処理システム。
【請求項５】
請求項３において、
前記表示スクリーンは平面スクリーンを有し、
前記データベースに、前記磁場データ動画に対応する心電図を格納しており、
前記立体加工部に表示される前記磁場データ動画に対応する前記心電図を同期させて前記平面スクリーンに表示する磁場データ処理システム。
【請求項６】
請求項５において、
前記表示スクリーンへの表示内容をスマートデバイスに配信する磁場データ処理システム。
【請求項７】
請求項６において、
前記表示スクリーンの表示内容に、コメント欄を含む磁場データ処理システム。
【請求項８】
請求項１〜７のいずれか一項において、
前記磁場データ動画は、被検者の心臓から発生する心臓磁気を複数の磁気センサによって計測する心臓磁気計測装置により計測された心臓磁気信号から経時的に作成された等磁場線図を時間軸上で切り替え表示することで動画化した磁場データ処理システム。
【発明の詳細な説明】
【技術分野】
【０００１】
本発明は、人などの心臓から発生する微弱な磁気信号を計測する心臓磁気計測装置から取得される磁場データを処理する磁場データ処理システムに関するものである。特に、医師が磁場データを用いて心臓疾患を診断するための診断支援、また、医師と検査技師とが症例検討会で症例を発表して治療の成果を検証したり、医師が患者に症状や予後について説明したりするためのデータ処理、説明支援機能に関する。
【背景技術】
【０００２】
成人、小児、胎児などの心臓から発生する心臓磁気信号はＳＱＵＩＤ（Superconducting Quantum Interference Device：超伝導量子干渉素子）磁束計を用いて検出される。磁場は電流と異なり、体と空気の透磁率がほぼ等しく、体外にも歪みなく情報が伝達される。更に被検者の体に触れること無く計測できることから、心臓内で生じている電気生理学的現象の空間分布を、体の形状によることなく、体外から正確に計測することができる。特に胎児の計測においても、胎児から自然に発生した磁場を母体に触れずに計測でき、無侵襲で且つ安全性が高い有用な計測方法である。
【０００３】
ＳＱＵＩＤを用いた従来の生体磁場観測装置として特許文献１、２がある。これらには、心臓から発生する心臓磁気信号を含む、生体から発する生体磁気信号を検出する複数の磁束計と、信号の演算処理を行う演算処理手段と、演算結果を表示する手段とを有し、磁気シールドルーム内で生体磁気分布を計測する装置について記載されている。
【先行技術文献】
【特許文献】
【０００４】
【特許文献１】特開２０１６−１０１２６４号公報
【特許文献２】特開平１１−１０４０９１号公報
【発明の概要】
【発明が解決しようとする課題】
【０００５】
特許文献１は、心臓の磁場データの解析手法について開示するとともに、心磁図データを時間的にそろえて重ね書きすることにより、データの視認性を高めることが開示されている。また、特許文献２には、例えば手術前後のような複数の磁場データの比較を効率化するための表示方法につき開示する。
【０００６】
しかしながら、患者などの非熟練者も含めて心磁図から得られる情報を説明するには、直感的に理解しやすい磁場データ動画（例えば、等磁場線図を経時的に生成し、これらを時間軸上で切り替え表示することで動画化することができる）を活用することが重要であると考えられるが、いずれの文献についても磁場データ動画の視認性を高めることについては記載されていない。
【０００７】
また、症例検討会などにおいては心臓の磁場データをモニタに表示して利用する運用がとられるが、平面のモニタでは具体的な心臓の部位との関係が把握しづらい。平面の画像や動画から立体的なイメージを捉えるためには、熟練が必要になる。
【０００８】
本発明は、患者の診断や、症例検討会における症例の発表、および患者への説明を効果的に実施することができる心臓磁気計測装置、および磁場データ処理システムを実現することを目的とする。
【課題を解決するための手段】
【０００９】
プロセッサと、主記憶と、磁場データ動画と磁場データ動画に対応する心磁図とを格納するデータベースと、主記憶に読み込まれ、プロセッサにより実行される磁場データ動画表示プログラムとを有する磁場データ処理システムにおいて、磁場データ動画表示プログラムは、第１磁場データ動画と第２磁場データ動画とを同期して表示するものであり、磁場データ動画表示プログラムは、第１磁場データ動画に対応する第１心磁図から複数の第１関心時刻を読み出し、第２磁場データ動画に対応する第２心磁図から複数の第２関心時刻を読み出し、複数の第１関心時刻と複数の第２関心時刻とを同期させて、第１磁場データ動画と第２磁場データ動画とを表示する。
【発明の効果】
【００１０】
患者の診断や、症例検討会における症例の発表、および患者への説明を効果的に実施することができる。
【図面の簡単な説明】
【００１１】
【図１】心臓磁気計測装置および磁場データ処理システムの概観図である。
【図２】心臓磁気計測装置および磁場データ処理システムのブロック図である。
【図３】ＳＱＵＩＤ磁気センサの概観を表す図である。
【図４】心臓の等磁場線図の一例である。
【図５】表示スクリーンの正面図である。
【図６】表示スクリーンへの投影例である。
【図７】比較対象とする計測データにかかる心電図の加算波形を示す図である。
【図８】磁場データ動画を同期させる処理フローを示す図である。
【図９】同期テーブルの例である。
【図１０】表示スクリーンに表示している内容をスマートデバイスに配信している状態を表す図である。
【発明を実施するための形態】
【００１２】
以下に図面を用いて本発明の実施態様を説明する。図１は心臓磁気計測装置１および磁場データ処理システム２を表す概観図である。磁気シールドルーム１１内には、被検者１２が横になるベッド１３と低温保持装置１４とが配置されている。低温保持装置１４には複数チャネルのＳＱＵＩＤ磁気センサが収納され、ＳＱＵＩＤ磁気センサを超電導状態に保持するための冷媒（液体ヘリウムまたは液体窒素）が満たされている。低温保持装置１４はガントリー１５によって機械的に保持されている。ベッド１３は、上昇下降、および前後左右に移動可能である。磁気シールドルーム１１の外部には計測制御装置１６が配置されている。計測制御装置１６の内訳については、図２のブロック図の説明において詳述する。
【００１３】
また、磁場データ処理システム２は、ＰＣ（パーソナルコンピュータ）などの計算機２１とプリンタ２２などで構成し、計算機２１は計測制御装置１６と通信媒体３を用いて心臓磁気計測装置１で計測した磁場データの授受を行う。また、計算機２１は、計測制御装置１６から心臓磁気計測装置１が計測した磁場データを取り込むと、計算機２１が備えるデータベースに格納するとともに波形の解析処理などを行って、計測した磁場データの波形、解析結果をモニタに表示する。また、本実施例の計算機２１は一般的なモニタに加えて、投影装置２６に接続される。投影装置２６により、計算機２１のデータベースに保持している磁場データ動画や磁場データ動画と同期した心電図などを表示スクリーン２５に投影することができる。
【００１４】
図２は心臓磁気計測装置１および磁場データ処理システム２の機能ブロック図である。心臓磁気計測装置１において、計測制御装置１６は、その主要な構成としてＦＬＬ（Flux Locked Loop）回路１７、アンプ回路およびフィルタ回路ユニット１８、生データを格納するためのデータベース１９を含む。
【００１５】
低温保持装置１４の内部に設置されたＳＱＵＩＤ磁気センサ３１からの出力は、磁気センサの検出コイルが検出した磁場強度に比例する電圧を出力するＦＬＬ回路１７に入力される。このＦＬＬ回路１７はＳＱＵＩＤの出力を一定に保つようＳＱＵＩＤに入力された生体磁気の変化を帰還コイルを介してキャンセルしている。この帰還コイルに流した電流を電圧に変換することにより、生体磁気信号の変化に比例した電圧出力が得られる。この電圧出力はアンプ回路およびフィルタ回路ユニット１８により増幅及び周波数帯域が選択され、図示しないＡＤ変換器によりＡＤ変換されることにより、生磁場データとしてデータベース１９に格納される。
【００１６】
磁場データ処理システム２の計算機２１は、主記憶２０２にプログラムをロードして実行するプロセッサ２０１、各種入出力装置に接続するインタフェース２０４、心臓磁気計測装置１からの生データをもとにプロセッサ２０１が作成した磁場データ動画やその他の解析結果などを格納するデータベース２０３、心臓磁気計測装置１、スマートデバイス７１、心電計４などと接続するためのネットワークインタフェース２０５を含む。インタフェース２０４に接続される周辺機器としては、キーボード、マウスなどの入力装置２７、モニタ２４、プリンタ２２、投影装置２６などである。また、データベース２０３はハードディスクドライブやフラッシュメモリなどの不揮発メモリで構成される。
【００１７】
心臓磁気計測装置１のデータベース１９から生データを取り込み、生データをモニタ２４に表示し、入力装置２７から入力される医師や検査技師の操作に基づき、プロセッサ２０１で加算処理や解析処理を行い、その処理結果から例えば等磁場線図を生成する。経時的に生成した等磁場線図を時間軸上で切り替え表示することで動画化した動画データをデータベース２０３に格納する。データベース２０３に格納した等磁場線図や動画データは、モニタ２４に表示することもできるし、投影装置２６を介して表示スクリーン２５に投影することもできる。
【００１８】
さらに、心臓磁気の計測と合わせて心電図の計測を心電計４にて行い、計算機２１に取り込んでデータベース２０３に格納することにより、心臓の磁場データ動画と心電図とを同期して表示することが可能になる。なお、心電計４は一般的なものであり、その装置構成についての詳しい説明は省略する。
【００１９】
また、図２においては、心臓磁気計測装置１と磁場データ処理システム２と心電計４とが１対１対１の関係であるが、心臓磁気計測装置１、磁場データ処理システム２、および心電計４のいずれもが１台または複数台として構成することも可能であり、それらの台数に制限はない。
【００２０】
図３は、ＳＱＵＩＤ磁気センサの概観を表す図である。低温保持装置１４の中に保冷されているＳＱＵＩＤ磁気センサは、複数本のＳＱＵＩＤ磁気センサ３１が空間的に配置される。図３の例では８×８の合計６４本を配置しているが、磁気センサの数はこれに限られない。このように空間的に複数本のＳＱＵＩＤ磁気センサを配置することで、検出した心臓磁気信号出力から、心臓の等磁場線図を作成することができる。図４に等磁場線図の例を示す。
【００２１】
心臓磁気の計測は、特許文献１にも述べられているとおり、心臓の刺激伝導神経細胞や、心筋細胞などが興奮して電流が流れることにより発生した外部磁場を測定するものである。心筋細胞の興奮は興奮波として伝わり、電気的には、興奮伝搬波面に集まった電気二重層として考えることができる。したがって、心臓磁気計測が捉える磁場発生源は、心筋細胞が興奮伝搬していく波面である電気二重層の境界部分のみであると考えられる。つまり、心筋興奮伝搬過程における興奮伝搬波面がつくる磁場分布が心臓の等磁場線図３２であると看做すことができる。
【００２２】
図５は、表示スクリーン２５の正面図である。表示スクリーン２５は向かって右側に心臓の形状を模した３次元の立体加工部５３を有する立体スクリーン５２を備え、左側には平面スクリーン５１を備えている。立体スクリーン５２は立体加工部５３がスクリーンの表側からみて凸形状であり、その分立体加工部５３の周囲は平面スクリーンよりも奥まっっている。また、立体加工部５３は心臓の形状を模した形状とするため、側面形状も有する。正面からの形状５４に対して、向かって左からの形状が形状５５、向かって右からの形状が形状５６である。表示スクリーン２５の裏側に投影装置２６を配置し、投影装置２６から心臓の磁場データ動画とともに、関連するデータ、例えば心電図などを同期させて投影させる。
【００２３】
図６に、図５に示した表示スクリーン２５への投影例を示す。表示スクリーン２５右側の立体スクリーン５２の立体加工部５３に心臓の磁場データ動画を投影するとともに、左側の平面スクリーン５１に心電図を投影し、右側の動画と同期した時刻位置に、時刻線５９を表示している状態を表したものである。なお、図６では、平面スクリーン５１に３種類の心電波形を表示する例を示しているが、これに限られるものではない。心電図は「１２誘導心電図」と呼ばれる１２種類の誘導による心電波形を同時に計測する方式が一般的に臨床で用いられており、これらの中から症例に応じて相応しい特徴的な誘導を適宜、例えば「Ｖ２誘導」、「Ｖ５誘導」、および「第II誘導」などを選択して、表示できるようにすることが望ましい。これらの心電波形は、動画の再生前後や再生中などに関わらず、例えば症例検討会において心臓の磁場データ動画の再生による発表時、発表者などが自由に切り替えできることが想定される。
【００２４】
図６の立体加工部５３に投影されているのは、等磁場線図とアローマップである。いずれも経時的に得られたマップを動画化して表示している。等磁場線図については図４にて説明したが、磁気の強さが直感的に理解できるように、色付けして示している。例えば、最大磁場を赤、最低磁場を青、中間を黄として、それらの間で色調を変え、徐々に変化するように表示させている。アローマップは磁場の発生原因である心臓内での電流の流れを示すために、電流の方向と向きを示すものである。同じ生データから計算することができるので、等磁場線図とアローマップとを重畳した動画として表示することが可能である。
【００２５】
このような磁場データ動画を立体スクリーン５２の立体加工部５３に投影することにより、心臓の部位と磁場データの位置関係が、平面表示に比べて把握しやすくなる効果を得ることができる。さらにその効果を増すために、心臓の画像を時折挿入して投影するか、心臓の静止画像を一時的に重ねて投影することもできる。この場合、心臓の画像としては、汎用的な共通画像ではなく、公知の超音波検査技術や、公知の放射線断層撮影技術などにより取得・生成した、実際の患者の心臓の画像を利用することが望ましい。心臓の画像を投影するタイミングは、一定の時間間隔ごとでもよいし、各波形のピークに合わせて投影してもよい。心臓の部位と磁場データ動画の位置関係を把握しやすくするよう、適宜投影できるようにする。
【００２６】
ところで、症例検討会などでの発表や、患者への説明などにおいては、同一患者における治療前と治療後との比較、治療直後とその３年後との比較といったように、計測時期の異なる２つの計測データを同時に表示し、比較検討したい場合がある。しかしながら、比較対象となる前後の計測データで心拍タイミングや、波形の出現タイミングなどが一致することはまずない。このため、表示スクリーン２５を２台設置してそれぞれを表示しても、双方の心臓の動作タイミングが異なっているため、比較することが難しい。このため、表示する２つの磁場データ動画を心臓の動きに同期させて表示させることができれば、比較することが容易になる。このため、磁場データ処理システムでは計算機２１に磁場データ動画表示プログラムをその不揮発記憶部に格納し、２つの磁場データ動画を同期させて表示可能にする。プログラムは計算機２１の主記憶２０２に読み込まれ、プロセッサ２０１により実行される。
【００２７】
この同期のために、心磁図の関心時刻を利用する。図７に比較対象とする心磁図データ（加算波形）を示す。両データ３５，３６は同期させる前の状態であるが、計算機２１は付与された関心時刻（最大５時刻）がそれぞれ同期するように双方の磁場データ動画を自動的に補正して表示させる。
【００２８】
関心時刻とは、心磁図に現れる各波形の開始・終了時刻を指す用語であり、Ｐｏｎ６１はＰ波の始まり、Ｐｏｆｆ６２はＰ波の終わり、ＱＲＳｏｎ６３はＱＲＳ波の始まり、ＱＲＳｏｆｆ６４はＱＲＳ波の終わり、そしてＴｏｆｆ６５はＴ波の終わりを記録するものである。なお、Ｐ波は心房の興奮（収縮）を示す波形であり、ＱＲＳ波は心室の興奮（収縮）、すなわち心室筋の脱分極を示し、Ｔ波は心室の再分極を示すものである。したがって、これらの関心時刻は心臓の収縮、拡張の動きに対応するものである。関心時刻は、心磁計の計測を行う医師や検査技師によって磁場データ処理システム２のモニタ２４上に表示するグラフに付与されるか、磁場データ処理システム２が備える自動付与機能によっても付与される。また、これらの関心時刻は磁場データ処理システム２のデータベース２０３に計測データとともに格納保管されており、例えば治療前後のデータをともに取り出して、異なる時期に取得された計測データ同士の同期に利用することができる。
【００２９】
加算波形３５に対応する磁場データ動画と加算波形３６に対応する磁場動画データとを同期させる処理フローを図８に示す。また、図８の処理フローにおいて計測データ同士の同期をとるために必要な同期テーブル８０の例を図９に示す。図８の処理フローに沿って以下、説明する。
【００３０】
まず、比較対象となる計測データを読み出す（Ｓ１０１）。ここでは、図７に示す加算波形３５及び加算波形３６である。これら加算波形の関心時刻は必ず上述の順序で発生する。ただし、症例などの要因によっては一部の波が検出されず、該当する関心時刻が付与されていない場合もあり得る。この例では、どちらの加算波形も５つの関心時刻がそれぞれ付与されているものとする。これにより、同期テーブル８０の行８１、行８３にそれぞれの関心時刻が登録される。
【００３１】
次に、同期用時刻の設定方式を選択する（Ｓ１０２）。例えば、「治療前の関心時刻（この例では「加算波形３５」）に合わせる」、「治療後の関心時刻（この例では「加算波形３６」）に合わせる」、あるいは「治療前後の中間に合わせる」などの方法がありうる。このため、モニタ２４にこれらの選択肢を表示し、ユーザ（発表者）がこれらの方式からいずれか選択させるようにすることが望ましい。これら以外の選択肢を設けられるようにしてもよい。
【００３２】
次に、加算波形３５、加算波形３６のそれぞれについて区間長を算出する（Ｓ１０３）。各加算波形の区間長を図７及び図９に示している。例えば、加算波形３５の開始からＰｏｎまでの区間長はＴ１（＝ｔ１−０）であり、加算波形３６の開始からＰｏｎまでの区間長はＴ６（＝ｔ６−０）である。上述のように関心時刻の付与されていないものがあれば、それを無視して比較する。例えば、いずれかの加算波形に関心時刻Ｐｏｆｆが付与されていなければ、ＰｏｎからＱＲＳｏｎまでの区間長を算出し、以降の処理を行う。
【００３３】
次に、選択された同期用時刻の設定方式にしたがって、同期用時刻を算出する（Ｓ１０４）。例えば、同期用時刻Ｐｏｎにつき、「治療前の関心時刻に合わせる」方式であればｔ１１＝ｔ１、「治療後の関心時刻に合わせる」方式であればｔ１１＝ｔ６、「治療前後の中間に合わせる」方式であれば、ｔ１１＝（ｔ１＋ｔ６）／２となる。
【００３４】
次に、算出した同期用時刻について、ステップＳ１０３と同様に同期用時刻区間長Ｔ１１〜Ｔ１５（同期テーブル８０の行８６）を算出する（Ｓ１０５）。
【００３５】
最後に、加算波形３５の区間長、加算波形３６の区間長、同期用時刻区間長から、区間ごとに磁場データ動画の時間軸上での伸縮率を求める（Ｓ１０６）。なお、加算波形３５に対応する磁場データ動画を磁場データ動画１とし、加算波形３６に対応する磁場データ動画を磁場データ動画２とする。例えば開始からＰｏｎまでの区間においては、磁場データ動画１の伸縮率はＴ１１／Ｔ１、磁場データ動画２の伸縮率はＴ１１／Ｔ６となる。他の区間についても同様に求められる。
【００３６】
このように、２つの磁場データ動画を同期して示す機能により、症例検討会の発表者は、症例の治療前後の心拍タイミングや心拍間隔、および治療の成果や予後の経過による波形出現タイミングの違いなどを気にすることなく、比較すべきポイントで随時、再生を一時停止するなどして、聴講者への発表を行うことができる。また、本機能は表示スクリーン２５を２組並べて表示する場合に限定されるものではない。表示スクリーン２５を１組しか準備できない場合においても、例えば治療前と治療後のデータを切り替えて表示する場合に、本同期機能により、適切に同じタイミングでの切り替えが可能となる。
【００３７】
これまで治療前後のデータ比較に関する適用例について述べてきたが、心臓の磁場データを計測する方向ごとに表示スクリーンを並べて同時に表示させる運用も想定される。心臓の磁場データは主に「正面」、「側面」、および「背面」の３方向から計測する運用が一般的に行われている。これらを同時に計測できる装置でなければ、同じ患者に対して磁場データを３方向から同一日時にそれぞれ計測した磁場データを、同時に比較検討する可能性がある。このように３方向からの計測データを同時に表示する機能においても、表示スクリーン２５を複数組並べて、先に述べた同期機能を適用し、複数の磁場データ動画を同期して表示することができる。また、３方向からの磁場データ動画を合成して、１つの表示スクリーン（立体スクリーン）に表示してもよい。
【００３８】
さらに、症例検討会での運用に特化した機能として、スマートデバイス活用機能を有する磁場データ処理システムについて説明する。図１０は、症例検討会を聴講者が手許にもつスマートデバイス７１に表示スクリーン２５に投影している画面と同じ内容を配信している状態を示している。また、表示スクリーン２５及びスマートデバイス７１には、ポイントとなる事象等を発表者等が記入して表示するコメント画面７２が表示されている。さらに、症例検討会の聴講者にはレベルを設け、下位には「一般聴講者」を、上位には「コメンテーター」あるいは「指導医」などを設け、スマートデバイス７１で操作できる範囲を異ならせるため、アクセス権に違いを設けておくことが望ましい。
【００３９】
図１０は、症例検討会の聴講者が手許のスマートデバイス７１に表示スクリーン２５の内容を表示するとともに、コメント画面７２を開いて、コメントを表示させている状態を示している。症例検討会の発表では、発表者がその特徴的なポイントで再生している磁場データ動画を一時停止させ、ポイントでどのような現象が起きているかを説明するといった場面が想定される。発表者はコメント画面７２に表示する文字列を事前に登録しておくが、発表時に追加や変更したものでもよい。また、何度でも表示させたり、取り消したりすることもできるものとする。症例検討会の議事録作成者や、発表の聴講者がスマートデバイス７１を持ち、症例検討会の発表者が動画の再生を一時停止させ、その理由やそのときに説明すべき情報を聴講者らが持つスマートデバイス７１のコメント画面７２に表示させる。所定のアクセス権を有する聴講者は、スマートデバイス７１の画面を静止画として撮影し保存することにより、議事録の添付資料や教材などとして活用することができる。
【００４０】
スマートデバイス７１での撮影は静止画に限定せず動画であってもよい。また、コメント画面７２は、スマートデバイス７１毎に表示の可否、表示位置の移動やサイズの変更を制御できることが望ましい。
【００４１】
さらに、アクセス権のレベルが上位レベルの聴講者は、スマートデバイス７１上で動画再生や一時停止といった遠隔操作や、コメントの加筆編集および表示までも可能とする。これにより、上位レベルのユーザは、磁場データ処理システム２の計算機２１から離れて、聴講者と同じ目線でスマートデバイス７１を用いて遠隔操作できることにより、効果的な発表が可能となる。
【００４２】
眼鏡型などのウェアラブルデバイスが更に汎用化すれば、そのようなウェアラブルデバイスに図１０と同様の表示を行うことも可能である。この場合は、公知の視線検知技術を応用し、ハンズフリーな運用を可能にする。
【００４３】
このようなスマートデバイス、ウェアラブルデバイスの活用により、医師による診断や、医師や検査技師による症例検討会における症例の発表、および医師による患者への説明を効果的に実施することができる。
【符号の説明】
【００４４】
１：心臓磁気計測装置、２：磁場データ処理システム、３：通信媒体、４：心電計、１１：磁気シールドルーム、１２：被検者、１３：ベッド、１４：低温保持装置、１５：ガントリー、１６：計測制御装置、１７：ＦＬＬ回路、１８：アンプ回路およびフィルタ回路ユニット、１９：データベース、２１：計算機、２２：プリンタ、２４：モニタ、２５：表示スクリーン、２６：投影装置、２７：入力装置、３１：ＳＱＵＩＤ磁気センサ、３２：等磁場線図、７１：スマートデバイス。
【図１】
2018166856.tif 000003
【図２】
2018166856.tif 000004
【図３】
2018166856.tif 000005
【図４】
2018166856.tif 000006
【図５】
2018166856.tif 000007
【図６】
2018166856.tif 000008
【図７】
2018166856.tif 000009
【図８】
2018166856.tif 000010
【図９】
2018166856.tif 000011
【図１０】
2018166856.tif 000012